(57)【要約】【課題】避難者が気づき易い避難誘導照明装置を提供する。【解決手段】避難誘導照明装置１００は、避難誘導情報を表示するための第一出射光Ｌ１を出射する光出射面１０１を有する第一発光部１０４と、第二出射光Ｌ２を出射する第二発光部１０５と、第一発光部１０４及び第二発光部１０５を支持する筐体１０９とを備え、第一出射光Ｌ１及び第二出射光Ｌ２は、それぞれ異なる方向に出射され、第二出射光Ｌ２は、第一出射光Ｌ１よりも明るい。【選択図】図２
2018041566.tif 000002
【特許請求の範囲】
【請求項１】
避難誘導情報を表示するための第一出射光を出射する光出射面を有する第一発光部と、
第二出射光を出射する第二発光部と、
前記第一発光部及び前記第二発光部を支持する筐体と、
を備え、
前記第一出射光及び前記第二出射光は、それぞれ異なる方向に出射され、
前記第二出射光は、前記第一出射光よりも明るい
避難誘導照明装置。
【請求項２】
さらに、
災害に関する信号を受信する通信部を備え、
前記第二発光部は、前記通信部が前記信号を受信した場合に前記第二出射光を出射する
請求項１に記載の避難誘導照明装置。
【請求項３】
前記筐体は、地面からの高さが１．５ｍ以上６．０ｍ以下に設置され、
前記第一発光部は、略水平方向に前記第一出射光を出射し、
前記第二発光部は、前記第一出射光が出射される方向より鉛直下方側に前記第二出射光を出射する
請求項１又は２に記載の避難誘導照明装置。
【請求項４】
前記第二発光部は、前記第二出射光の配光を制御する光学部を備える
請求項１〜３のいずれか１項に記載の避難誘導照明装置。
【請求項５】
前記光学部は、前記第二出射光が出射される方向に前記筐体から突出して形成される
請求項４に記載の避難誘導照明装置。
【請求項６】
前記光学部は、前記第二出射光を拡散させる
請求項４又は５に記載の避難誘導照明装置。
【請求項７】
前記光学部は、前記第二出射光を集光する
請求項４又は５に記載の避難誘導照明装置。
【請求項８】
前記第二出射光の光軸と、前記避難誘導照明装置の鉛直下方とのなす角度は、０度以上６０度以下である
請求項７に記載の避難誘導照明装置。
【請求項９】
前記第二出射光は、道路中央又は交差点中央の路面に照射される
請求項１〜８のいずれか１項に記載の避難誘導照明装置。
【請求項１０】
さらに、
避難誘導情報が表示された表示部を備え、
前記表示部は、前記第二出射光の少なくとも一部を透過する透光部材で形成される
請求項１〜９のいずれか１項に記載の避難誘導照明装置。
【請求項１１】
さらに、
前記第二出射光を点滅させる制御を行う制御部を備える
請求項１〜１０のいずれか１項に記載の避難誘導照明装置。
【請求項１２】
さらに、
前記筐体を支持する柱状部材を備える
請求項１〜１１のいずれか１項に記載の避難誘導照明装置。
【請求項１３】
さらに、
外光を検知する光センサを備え、
前記第一発光部は、前記光センサが検知した外光に応じた輝度で前記第一出射光を出射する
請求項１〜１２のいずれか１項に記載の避難誘導照明装置。
【発明の詳細な説明】
【技術分野】
【０００１】
本開示は、避難誘導照明装置に関する。
【背景技術】
【０００２】
従来から、地震又は津波等の災害の際に、災害内容の報知又は避難場所への案内を表示する避難誘導照明装置が提案されている。避難誘導照明装置は、例えば、災害が発生した際に、音声による報知又はランプの点灯による注意喚起を行う。また、避難誘導照明装置は、避難誘導マーク、避難場所、避難場所の方向を示す矢印マーク若しくは文字又は避難場所までの距離などの情報が表示された表示パネルに表示することにより、避難者に情報を伝達する。
【０００３】
例えば、この種の避難誘導照明装置として、特許文献１には、所定の文字、図形、画像などにより構成される固定情報を表示する面発光表示装置と、可変情報を表示する電子ペーパー表示装置とを備える避難誘導表示装置が開示されている。また、当該電子ペーパー表示装置は、当該面発光表示装置の放射する光により照明されるように当該面発光表示装置に対して角度をもって配置される。
【０００４】
こうすることで、避難者を安全、迅速に避難させることができるとともに、避難者が災害の現状把握を的確に行うことができる。
【先行技術文献】
【特許文献】
【０００５】
【特許文献１】特開２０１３−２１４３０４号公報
【発明の概要】
【発明が解決しようとする課題】
【０００６】
ところで、避難誘導照明装置は、津波等の影響を抑制するために、人が歩行する際の目の高さより高い位置に設置されることが多い。また、避難者は、特に夜間においては、足元を確認しながら歩くことが多いため、視線が下向きになることが多い。そのため、避難者は避難誘導照明装置に気づきにくいという問題がある。
【０００７】
そこで、本開示は、避難者が気づき易い避難誘導照明装置を提供する。
【課題を解決するための手段】
【０００８】
本開示の一態様に係る避難誘導照明装置は、避難誘導情報を表示するための第一出射光を出射する光出射面を有する第一発光部と、第二出射光を出射する第二発光部と、前記第一発光部及び前記第二発光部を支持する筐体と、を備え、前記第一出射光及び前記第二出射光は、それぞれ異なる方向に出射され、前記第二出射光は、前記第一出射光よりも明るい。
【発明の効果】
【０００９】
本開示の避難誘導照明装置によれば、避難者は避難誘導照明装置に気づき易い。
【図面の簡単な説明】
【００１０】
【図１】図１は、防災無線システムを説明するための概略図である。
【図２】図２は、実施の形態１に係る避難誘導照明装置から出射される光の照射範囲の一具体例を示す模式図である。
【図３】図３は、実施の形態１に係る避難誘導照明装置の斜視図である。
【図４】図４は、実施の形態１に係る図３のＩＶ―ＩＶ線における避難誘導照明装置の断面図である。
【図５】図５は、実施の形態２に係る図３のＩＶ−ＩＶ線における避難誘導照明装置の断面図である。
【図６】図６は、実施の形態２に係る避難誘導照明装置から出射される光の照射範囲の一具体例を示す模式図である。
【図７】図７は、実施の形態３に係る避難誘導照明装置の内部構造を示す断面図である。
【図８】図８は、実施の形態３に係る避難誘導照明装置から出射される光の照射範囲の一具体例を示す模式図である。
【図９】図９は、実施の形態３に係る避難誘導照明装置から出射される第二出射光の照射面の一具体例を示す模式図である。
【発明を実施するための形態】
【００１１】
以下、実施の形態に係る避難誘導照明装置について、図面を参照しながら説明する。なお、以下で説明する実施の形態は、いずれも包括的または具体的な例を示すものである。以下の実施の形態で示される数値、形状、材料、構成要素、構成要素の配置位置及び接続形態等は、一例であり、本開示を限定する主旨ではない。また、以下の実施の形態における構成要素のうち、最上位概念を示す独立請求項に記載されていない構成要素については、任意の構成要素として説明される。
【００１２】
なお、各図は模式図であり、必ずしも厳密に図示されたものではない。また、各図において、実質的に同一の構成に対しては同一の符号を付しており、重複する説明は省略または簡略化される場合がある。
【００１３】
また、本明細書において、Ｚ軸方向を鉛直方向とし、Ｚ軸の正方向を上方と定義する。また、各図におけるＸ軸及びＹ軸は、Ｚ軸に直交する方向であるとする。また、Ｘ軸は、Ｙ軸と直交する方向であるとする。
【００１４】
なお、本明細書において、「略」又は「約」とは、製造又は配置の際に生じる誤差を含むことを意味する。
【００１５】
（実施の形態１）
［避難誘導照明装置の構成］
まず、実施の形態１に係る避難誘導照明装置に関して説明する。図１は、防災無線システムを説明するための概略図である。
【００１６】
避難誘導照明装置１００は、災害時の被害を軽減するための照明であり、主に、地震の発生後等に生じ得る津波から避難する人（避難者２００）を避難場所に誘導するための照明である。避難誘導照明装置１００は、例えば、地震が発生した際に津波被害もあわせて発生することが懸念されている地域の一般道路等で使用される。災害が発生した際等に、住民の避難、誘導又は安全の確保のための情報伝達に使用される防災無線システム５００がある。また、自治体３００によっては、防災無線システム５００として、緊急性の高い情報をより高速に伝達するために全国瞬時警報システム（Ｊ−Ａｌｅｒｔ）が導入されている。
【００１７】
避難誘導照明装置１００は、例えば、自治体３００のコンピュータから送信された上述した情報を、無線通信網４００を介して受信し、当該受信に応じて光を発することで、避難者を避難場所へ誘導し易くする。つまり、避難誘導照明装置１００は、例えば、自治体３００又は地震の発生に際して消防庁等から送信される信号を受信した場合に発光する発光部（後述する第二発光部）を有する。
【００１８】
図２は、実施の形態１に係る避難誘導照明装置から出射される光の照射範囲の一具体例を示す模式図である。図２に示すように、避難誘導照明装置１００は、第一発光部１０４と、第二発光部１０５とを備える。
【００１９】
第一発光部１０４は、避難者２００を避難場所へ誘導するために、避難場所、避難場所までの距離又は避難場所の方向を示す矢印等の避難誘導情報を表示するための発光部である。第一発光部１０４は、特に限定されないが、例えば、ＬＥＤ（Ｌｉｇｈｔ  Ｅｍｉｔｔｉｎｇ  Ｄｉｏｄｅ）又はＬＤ（Ｌａｓｅｒ  Ｄｉｏｄｅ）で構成される。
【００２０】
第二発光部１０５は、災害が発生した場合に避難誘導照明装置１００が自治体３００等から信号を受信した場合に発光する発光部である。第二発光部１０５は、災害が発生した際に、避難者２００が避難誘導照明装置１００に気づき易くするために第二出射光Ｌ２を出射する。第二発光部１０５は、特に限定されないが、例えば、ＬＥＤ又はＬＤで構成される。
【００２１】
また、第一発光部１０４と第二発光部１０５とは、異なる向きに光を出射するように避難誘導照明装置１００に配置される。言い換えると、第二発光部１０５は、第一発光部１０４が出射する第一出射光Ｌ１とは異なる方向に第二出射光Ｌ２を発する。例えば、図２に示すように、第一発光部１０４は、光軸Ａ１方向に第一出射光Ｌ１を出射する。言い換えると、第一出射光Ｌ１の光軸が光軸Ａ１である。また、第二発光部１０５は、光軸Ａ２方向に第二出射光Ｌ２を出射する。言い換えると、第二出射光Ｌ２の光軸が光軸Ａ２である。つまり、第二発光部１０５は、第一出射光Ｌ１の光軸Ａ１方向と第二出射光Ｌ２の光軸Ａ２方向とが交差する方向に第二出射光Ｌ２を発する。
【００２２】
また、第二出射光Ｌ２は、第一出射光Ｌ１よりも明るくなるように設定される。ここで、明るさとは、例えば、第一出射光Ｌ１及び第二出射光Ｌ２の照度、光束、輝度、光エネルギー等で定義される。例えば、第二出射光Ｌ２は、第一発光部１０４が出射する第一出射光Ｌ１よりも輝度及び照度の少なくともいずれか一方が高くなるように設定される。一例としては、第二出射光Ｌ２の輝度は第一出射光Ｌ１の輝度より高い。また、別の一例としては、第二出射光Ｌ２の出射方向に第二発光部１０５から所定距離離れた位置における第二出射光Ｌ２の照度は、第一出射光Ｌ１の出射方向に第一発光部１０４から当該所定距離と等しい距離離れた位置における第一出射光Ｌ１の照度より高い。例えば、第一出射光Ｌ１の照度は、第一発光部１０４から光軸Ａ１方向に所定距離離れた位置における照度であるとする。また、第二出射光Ｌ２の照度は、第二発光部１０５から光軸Ａ２方向に当該距離離れた位置における照度であるとする。つまり、第一発光部１０４と第一出射光Ｌ１の照度の測定点との距離と、第二発光部１０５と第二出射光Ｌ２の照度の測定点との距離とは等しいとする。
【００２３】
また、避難誘導照明装置１００は、津波等の影響を抑制するために、屋外の地面Ｇから所定の高さに設置される。避難誘導照明装置１００が設置される高さは、特に限定されるものではないが、例えば、設置される地面Ｇからの高さが１．５ｍ以上６．０ｍ以下に設置される。ここで、避難誘導照明装置１００の高さとは、地面Ｇから後述する筐体の下面までの鉛直方向の長さとする。また、避難誘導照明装置１００が設置される場所は、特に限定されるものではないが、例えば、既設の電柱等に設置される。なお、避難誘導照明装置１００は、柱状部材１１０を備え、柱状部材１１０によって道路の地面Ｇの上方に支持されてもよい。
【００２４】
避難誘導照明装置１００は、例えば、図２に示すように、避難誘導照明装置１００の正面側（図２のＸ軸の正方向）に向けて第一出射光Ｌ１を照射するように構成される。具体的には、避難誘導照明装置１００は、略水平方向に向けて第一出射光Ｌ１を出射する。また、避難誘導照明装置１００は、避難誘導照明の下方（図２のＺ軸の負方向）側に位置する地面Ｇに向けて第二出射光Ｌ２を出射する。
【００２５】
次に、避難誘導照明装置１００の詳細な構成について説明する。
【００２６】
図３は、実施の形態１に係る避難誘導照明装置の外観斜視図である。図３に示すように、避難誘導照明装置１００は、第一発光部１０４と、第二発光部１０５と、光センサ１２０と、筐体１０９とを備える。
【００２７】
第一発光部１０４は、上述した緊急避難情報が表示された光出射面１０１を有する。第一発光部１０４は、緊急避難情報が表示された光出射面１０１を視認し易くするために第一出射光Ｌ１を発する。第一発光部１０４は、光出射面１０１の法線が図３のＸ軸の正方向側に向くように筐体１０９に設置される。つまり、第一発光部１０４から出射される第一出射光Ｌ１の光軸Ａ１方向が、略水平方向に向くように設置される。
【００２８】
第二発光部１０５は、避難者２００の注意を惹くための第二出射光Ｌ２を出射する。第二発光部１０５は、第一出射光Ｌ１とは異なる方向に第二出射光Ｌ２を出射する。具体的には、第二発光部１０５は、図３のＺ軸の負方向側に第二出射光Ｌ２を出射するように筐体１０９に設置される。
【００２９】
光センサ１２０は、太陽光等の避難誘導照明装置１００から出射される光以外の光（外光）の光量（例えば、照度）を測定するセンサである。光センサ１２０で測定された光量に応じて、避難誘導照明装置１００は、第一発光部１０４で出射する光の光量（例えば、輝度）を調整してもよい。例えば、晴れの日の日中などは外光の光量は多いため、第一発光部１０４の光がなくても光出射面１０１に表示された避難誘導表示を避難者２００は認識しやすいと考えられる。この場合には、避難誘導照明装置１００は、第一発光部１０４で発せられる輝度を減らす、又は、光を出射しないように後述する制御部（図４参照）によって制御されてもよい。
【００３０】
筐体１０９は、第一発光部１０４と、第二発光部１０５と、光センサ１２０とを支持する箱体である。筐体１０９は、例えば、金属材料を用いて形成されるが、樹脂材料等の他の材料を用いて形成されてもよい。
【００３１】
次に、避難誘導照明装置１００の内部構成について説明する。
【００３２】
図４は、実施の形態１に係る図３のＩＶ−ＩＶ線における避難誘導照明装置の断面図である。図４に示すように、避難誘導照明装置１００は、第一発光部１０４と、第二発光部１０５と、通信部１０６と、制御部１０７とを備える。また、第一発光部１０４は、光源１４０ａと、透光部１０２とから構成される。また、第二発光部１０５は、光源１４０ｂと、光学部１０３とから構成される。
【００３３】
光源１４０ａ及び１４０ｂは、光を発する光源である。光源１４０ａ及び１４０ｂは、例えば、ＬＥＤ又はＬＤである。
【００３４】
光源１４０ａは、透光部１０２に向けて光を発するように筐体１０９に１又は複数配置される。具体的には、光源１４０ａは、図４のＸ軸の正方向側に光を発する。光源１４０ａは、具体的には、マトリクス状に配置された複数のＬＥＤで構成され、制御部１０７の制御を受けて発光する。
【００３５】
なお、第一発光部１０４の発する光の色は、特に限定されない。第一発光部１０４は複数の色での発光を可能とするために、発光色の異なる光源を複数備えてもよい。この場合、第一発光部１０４は、制御部１０７の指示に応じた色で発光させてもよい。
【００３６】
透光部１０２は、光源１４０ａから発せられた光を透過する光出射面１０１を有する透光部材である。透光部１０２は、特に限定されないが、例えば、ガラス材料またはアクリルもしくはポリカーボネート等の透明樹脂材料によって形成される。また、光出射面１０１には、避難誘導マーク、避難場所、避難場所の方向を示す矢印マーク若しくは文字又は避難場所までの距離などの避難誘導情報が表示されている。当該避難誘導情報は、例えば、光出射面１０１の一部を光源１４０ａから発せられる光を透過させないようにマスキングすることで、光出射面１０１に表示される。
【００３７】
光源１４０ｂは、光学部１０３に向けて光を発するように筐体１０９に１又は複数配置される。具体的には、光源１４０ｂは、図４のＺ軸の負方向側に光を発するように筐体１０９に設置される。
【００３８】
なお、光源１４０ｂが発する光の色は、特に限定されない。例えば、複数の色での発光を可能とするために、発光色の異なる光源１４０ｂが複数配置されてもよい。また、第二発光部１０５は、津波、地震もしくは洪水等の災害の内容又は災害の程度に応じて第二発光部１０５が発する発光色を変えられるように構成されてもよい。
【００３９】
第二発光部１０５は、例えば、白色で発光してもよいし、危険を示す赤色又は橙色等で発光してもよいし、注意を示す黄色等で発光してもよい。また、第二発光部１０５は、例えば、災害にまだ注意すべき場合は危険を示す赤色等で発光し、災害が収まった場合は安全を示す緑色等で発光するようにしてもよい。
【００４０】
光学部１０３は、光源１４０ｂから発せられた光を透過するカバー部材である。光学部１０３は、例えばガラス材料またはアクリルもしくはポリカーボネート等の透明樹脂材料によって形成することができる。具体的には、光学部１０３は、筐体１０９の下面に支持される。
【００４１】
また、光学部１０３は、光源１４０ｂから発せられた光の配光を制御する。つまり、光学部１０３は、第二発光部１０５が出射する第二出射光Ｌ２の配光を制御する。例えば、光学部１０３は、光拡散性（光散乱性）を有していてもよい。例えば、透明樹脂材料に光反射微粒子等の光拡散材を分散させて光学部１０３を作製することで、光学部１０３に光拡散性を持たせてもよい。また、例えば、光学部１０３を形成する透明樹脂材料の表面（内面又は外面）に光拡散材等を含む乳白色の光拡散膜を形成することで光学部１０３に光拡散性を持たせてもよい。また、光拡散材を用いるのではなくシボ加工処理等によって透明樹脂材料の表面に微小凹凸を形成したり、透明樹脂材料の表面にドットパターンを印刷したりすることで光学部１０３に光拡散性を持たせてもよい。また、上述した光拡散性を持たせる材料、形状等を組み合わせて光学部１０３に光拡散性を持たせてもよい。
【００４２】
図４においては、第二出射光Ｌ２を拡散させる方法の一具体例として、光学部１０３の基材となる透明樹脂材料の中に、光拡散材１３０が分散して形成された図を示している。
【００４３】
光拡散材１３０の材料は、第二出射光Ｌ２を拡散できればよく、特に限定されないが、例えば、シリカ又は炭酸カルシウム等の微粒子粉末である。こうすることで、光学部１０３は、第二発光部１０５から出射された第二出射光Ｌ２を拡散光にする。そのため、光学部１０３で拡散された第二出射光Ｌ２は、多方向へ出射される。
【００４４】
また、光学部１０３は、第二出射光Ｌ２が出射される方向に向けて筐体１０９から突出するように形成される。具体的には、光学部１０３は、筐体１０９から地面Ｇに向けて筐体１０９から突出して形成される。これにより、第二発光部１０５が点灯した際に、避難者２００には、光学部１０３全体が光っているように見える。
【００４５】
ここで、第二出射光Ｌ２は、第一出射光Ｌ１よりも明るくなるように設定される。上述したように、第二出射光Ｌ２を光学部１０３で拡散させる場合には、例えば、第二出射光Ｌ２は第一出射光Ｌ１より輝度が高くなるように設定される。具体的には、光源１４０ａよりも光源１４０ｂの方の光出力を高く設定する、又は、第一発光部１０４に設置される光源１４０ａの個数よりも第二発光部１０５に設置される個数を多く配置する。こうすることで、第二出射光Ｌ２は第一出射光Ｌ１より輝度が高くなるように設定される。
【００４６】
通信部１０６は、通信回路により実現され、外部から送信される津波等の災害情報（信号）をアンテナ（図示しない）により受信して制御部１０７に通知する機能を有する。
【００４７】
制御部１０７は、光源１４０ａ及び光源１４０ｂの点灯又は消灯を制御する処理部である。制御部１０７は、例えば、ＣＰＵ（Ｃｅｎｔｒａｌ  Ｐｒｏｃｅｓｓｉｎｇ  Ｕｎｉｔ）等によって実現される。
【００４８】
制御部１０７は、通信部１０６から信号を受信した通知を受けた場合に、第二発光部１０５を発光させる。つまり、地震の発生後等において自治体３００又は消防庁等から信号が送信され、通信部１０６が当該信号を受信した場合に、制御部１０７は、第二発光部１０５（具体的には、光源１４０ｂ）を発光させる。
【００４９】
また、制御部１０７は、光センサ１２０が測定した光量（例えば、照度）に応じて、第一発光部１０４の発光を制御する機能を有する。制御部１０７は、例えば、夜間は光源１４０ａを点灯させ、昼間は光源１４０ｂを消灯する。例えば、光センサ１２０で検知する照度に所定の基準値を設け、制御部１０７は、照度が所定値以上の場合に光源１４０ａを消灯させ、照度が所定値未満の場合に第一発光部１０４を点灯させるように光源１４０ｂを制御する。また、制御部１０７は、光センサ１２０が検知した外光に応じた輝度で第一発光部１０４が第一出射光Ｌ１を出射するように制御してもよい。例えば、制御部１０７は、日中で明るい場合には第一出射光Ｌ１の輝度を上げ、夜間で暗い場合に第一出射光Ｌ１の輝度を下げるように第一発光部１０４（具体的には、光源１４０ａ）を制御してもよい。
【００５０】
また、制御部１０７は、第二出射光Ｌ２を点滅させるように第二発光部１０５を制御してもよい。具体的には、制御部１０７は、光源１４０ｂの点灯及び消灯を繰り返し制御することで第二出射光Ｌ２を点滅させてもよい。
【００５１】
なお、光センサ１２０の代わりに計時部（時計）を設けて、所定時間帯において、制御部１０７は、第一発光部１０４の発光を制御してもよい。
【００５２】
また、避難誘導照明装置１００は、第一発光部１０４及び第二発光部１０５等に電力を供給する電源ユニットを備えてもよい。電源ユニットは、例えば、商用電源からの交流電力を直流電力に変換して第一発光部１０４及び第二発光部１０５に出力する。
【００５３】
また、避難誘導照明装置１００は、蓄電ユニット（図示しない）を備えてもよい。地震が発生した際には停電が生じ得るため、例えば、通常時は外部電力を受けて充電する二次電池等であり、停電して外部電力の供給が絶たれたときにも電源として機能し、各部への電力の供給を担う。なお、蓄電ユニットは、ソーラーパネル、発電機又は一次電池等であってもよいし、これらが複数組み合わされてもよい。こうすることで、避難誘導照明装置１００は、災害が発生した場合に、商用電源からの電力供給が中断されたときに、蓄電ユニットから電力が供給されることにより、災害が発生した場合にも機能する。
【００５４】
以上、避難誘導照明装置１００の構成について説明した。
【００５５】
［効果等］
以上、実施の形態１に係る避難誘導照明装置１００は、避難誘導情報を表示するための第一出射光Ｌ１を出射する光出射面１０１を有する第一発光部１０４と、第二出射光Ｌ２を出射する第二発光部１０５とを備える。また、第一発光部１０４及び第二発光部１０５は、筐体１０９によって支持される。また、第一出射光Ｌ１及び第二出射光Ｌ２は、それぞれ異なる方向に出射される。また、第二出射光Ｌ２は第一出射光Ｌ１よりも明るい。例えば、第二出射光Ｌ２の輝度は、第一出射光Ｌ１の輝度よりも高い。
【００５６】
こうすることで、第二出射光Ｌ２は、避難誘導照明装置１００が設置される場所の近傍の地面Ｇ又は建屋に照射される。そのため、避難者２００は、第二出射光Ｌ２に気づき易くなるため、避難誘導照明装置１００にも気づき易い。
【００５７】
また、避難誘導情報が表示された光出射面１０１から出射される第一出射光Ｌ１と、避難者２００の注意を惹くための第二出射光Ｌ２とが出射される方向が異なる。これにより、第二出射光Ｌ２の輝度を高く設定しても、避難者２００は光出射面１０１を視認し易い。具体的には、第一出射光Ｌ１の輝度を高く設定すると、人の目には眩しく感ぜられるために、光出射面１０１に表示された避難誘導情報が読み取りにくくなる。しかしながら、第一出射光Ｌ１と第二出射光Ｌ２とが出射される方向を分けることにより、第二出射光Ｌ２の輝度を高く設定しても、避難者２００は光出射面１０１を眩しくなく視認することができ、且つ、避難誘導照明装置１００に気づき易くなる。
【００５８】
また、避難誘導照明装置１００は、さらに、災害に関する信号を受信する通信部１０６を備えてもよい。また、第二発光部１０５は、通信部１０６が当該信号を受信した場合に第二出射光Ｌ２を出射してもよい。
【００５９】
これにより、第二出射光Ｌ２は、災害が発生した際等の避難者２００が避難誘導照明装置１００に表示された情報が必要な場合にのみ出射される。つまり、第二発光部１０５は、災害の発生に応じて点灯又は消灯される。そのため、避難誘導照明装置１００の消費電力は抑制される。
【００６０】
また、筐体１０９は、地面Ｇからの高さが１．５ｍ以上６．０ｍ以下に設置されてもよい。また、第一発光部１０４は、略水平方向に第一出射光Ｌ１を出射してもよい。また、第二発光部１０５は、第一出射光Ｌ１が出射される方向より鉛直下方側となるように第二出射光Ｌ２を出射してもよい。
【００６１】
これにより、第二出射光Ｌ２は、避難誘導照明装置１００から避難者２００がいる地面Ｇの方向へ出射される。そのため、避難者２００は、避難誘導照明装置１００に気づき易くなる。
【００６２】
また、第二発光部１０５は、第二出射光Ｌ２の配光を制御する光学部１０３を備えてもよい。
【００６３】
つまり、第二出射光Ｌ２は、避難者２００が避難誘導照明装置１００に気づき易いように、避難誘導照明装置１００が設置される場所等に応じて光学部１０３により制御される。こうすることで、第二出射光Ｌ２は、避難者２００の視線を引き付け易くなる。そのため、避難者２００は、避難誘導照明装置１００により気づき易くなる。
【００６４】
また、光学部１０３は、第二出射光Ｌ２が出射される方向に筐体１０９から突出して形成されてもよい。
【００６５】
こうすることで、光学部１０３は光源１４０ｂから発せられる光により、光学部１０３全体が光っているように避難者２００には感じられる。これにより、光学部１０３を有する第二発光部１０５は避難者２００の目を惹きつけ易くなる。そのため、避難者２００は、避難誘導照明装置１００に気づき易い。
【００６６】
また、光学部１０３は、第二出射光Ｌ２を拡散させてもよい。
【００６７】
つまり、光学部１０３は、第二発光部１０５から出射された第二出射光Ｌ２を拡散光にしてもよい。これにより、光学部１０３で拡散された第二出射光Ｌ２は多方向へ出射される。そのため、第二出射光Ｌ２は、避難誘導照明装置１００が設置される場所によらず、避難誘導照明装置１００が設置される近隣の地面Ｇ又は建屋等を照らすことができる。こうすることで、避難者２００が様々な方向から避難してきた場合に、避難者２００は、第二出射光Ｌ２に気づき易い。つまり、避難者２００は避難誘導照明装置１００に気づき易い。
【００６８】
また、避難誘導照明装置１００は、さらに、第二出射光Ｌ２を点滅させる制御を行う制御部１０７を備えてもよい。
【００６９】
これにより、第二発光部１０５は避難者２００の目を惹きつけ易くなる。そのため、避難者２００は、避難誘導照明装置１００に気づき易い。
【００７０】
また、避難誘導照明装置１００は、筐体１０９を支持する柱状部材１１０を備えてもよい。
【００７１】
これにより、避難誘導照明装置１００を設置する設備がない場所においても、避難誘導照明装置１００を設置できる。また、柱状部材１１０の長さを適宜調整することで、避難誘導照明装置１００を設置する上述した高さを有する設備がない場所においても、避難誘導照明装置１００を所望の高さに設置できる。
【００７２】
また、避難誘導照明装置１００は、外光を検知する光センサ１２０を備えてもよい。また、第一発光部１０４は、光センサ１２０が検知した外光に応じた輝度で第一出射光Ｌ１を出射してもよい。例えば、日中等の外光が強い場合においては、光源１４０ａから光が発せられなくても光出射面１０１に表示された避難誘導情報が読み取れる場合がある。このような場合においては、光源１４０ａは光を発しなくてもよい。
【００７３】
これにより、避難誘導照明装置１００の消費電力は抑制される。
【００７４】
（実施の形態２）
［避難誘導照明装置の構成］
上述したように、実施の形態１に係る避難誘導照明装置１００の光学部１０３は、第二発光部１０５から出射される第二出射光Ｌ２を拡散させる機能を有した。実施の形態２に係る避難誘導照明装置においては、光学部は、第二出射光を集光させる機能を有する。
【００７５】
図５は、実施の形態２に係る図３のＩＶ−ＩＶ線における避難誘導照明装置の断面図である。図６は、実施の形態２に係る避難誘導照明装置から出射される光の照射範囲の一具体例を示す模式図である。なお、図５に示す断面は、図４に対応する断面である。
【００７６】
図５に示すように、避難誘導照明装置１００ａは、第一発光部１０４と、第二発光部１０５ａと、通信部１０６と、制御部１０７とを備える。また、第一発光部１０４は、光源１４０ａと、透光部１０２とから構成される。また、第二発光部１０５ａは、光源１４０ｂと、光学部１０３ａとから構成される。
【００７７】
実施の形態２に係る避難誘導照明装置は、実施の形態１に係る避難誘導照明装置と光学部が異なる。具体的には、実施の形態２に係る避難誘導照明装置１００ａにおいては、光学部１０３ａは、光源１４０ｂから発せられる光を集光させるように機能する。つまり、光学部１０３ａは、第二出射光Ｌ２を集光させるように機能する。光学部１０３ａは、例えば、レンズである。なお、レンズではなく第二出射光Ｌ２を反射する反射板（図示せず）によって第二出射光Ｌ２を集光してもよいし、上述した反射板及びレンズを用いて第二出射光Ｌ２を集光してもよく、限定されない。
【００７８】
図６に示すように、避難誘導照明装置１００ａは、第二出射光Ｌ２で地面Ｇを照らす。具体的には、光学部１０３ａは、光源１４０ｂから発せられた光をスポット光にして第二出射光Ｌ２を地面Ｇに照射するようにする。第二出射光Ｌ２は、例えば、スポット径が２ｍ〜５ｍ程度になるように地面Ｇを照射する。こうすることで、地面Ｇにおける、第二出射光Ｌ２が照射された部分のみが第二出射光Ｌ２が照射された部分の周辺に比べて明るくなる。
【００７９】
また、実施の形態１と同様に、実施の形態２においても、第二出射光Ｌ２は第一出射光Ｌ１よりも明るい。また、実施の形態２においては、第二出射光Ｌ２は、第一出射光Ｌ１よりも照度が高くなるように設定される。また、避難者２００が光出射面１０１を視認し易くするための第一出射光Ｌ１と避難者２００が避難誘導照明装置１００ａに気づき易くするための第二出射光Ｌ２とが出射される方向は異なる。言い換えると、第二発光部１０５ａは、第一出射光Ｌ１の光軸Ａ１と第二出射光の光軸Ａ２とが異なる方向に第二出射光Ｌ２を出射する。
【００８０】
なお、上述したように、第一出射光Ｌ１の照度は、第一発光部１０４から光軸Ａ１方向に所定距離離れた面における照度であり、第二出射光Ｌ２の照度は、第二発光部１０５ａから光軸Ａ２方向に当該距離離れた面における照度であるとする。例えば、図６においては、第二出射光Ｌ２の照度の測定位置は、第二出射光Ｌ２が照射される地面Ｇにおける照度であるとする。また、第一出射光Ｌ１の照度の測定位置は、第二出射光Ｌ２が照射される地面Ｇと第二発光部１０５ａ（例えば、光学部１０３ａの下面）との距離を、第一発光部１０４（例えば光出射面１０１）から第一出射光Ｌ１の光軸Ａ１方向に当該距離だけ離れた位置とする。
【００８１】
また、実施の形態２において、第二出射光Ｌ２は地面Ｇに出射されたが、あくまで一例であり、これに限らない。第二発光部１０５ａは、第一出射光Ｌ１の光軸Ａ１と第二出射光Ｌ２の光軸Ａ２とが交差する方向に第二出射光Ｌ２を発する。具体的には、第二出射光Ｌ２は、避難誘導照明装置１００ａが設置される近隣の建屋などに照射されてもよい。この場合、当該建屋などに第二出射光Ｌ２が照射されるように第二発光部１０５ａは避難誘導照明装置１００ａに設置されればよい。
【００８２】
［効果等］
以上、実施の形態２に係る避難誘導照明装置１００ａは、避難誘導情報を表示するための第一出射光Ｌ１を出射する光出射面１０１を有する第一発光部１０４と、第二出射光Ｌ２を出射する第二発光部１０５ａとを備える。また、第一発光部１０４及び第二発光部１０５ａは、筐体１０９によって支持される。また、第一出射光Ｌ１及び第二出射光Ｌ２は、それぞれ異なる方向に出射される。また、第二出射光Ｌ２は、第一出射光Ｌ１よりも明るい。例えば、第二出射光Ｌ２の出射方向に第二発光部１０５ａから所定距離離れた位置における第二出射光Ｌ２の照度は、第一出射光Ｌ１の出射方向に第一発光部１０４から当該所定距離と等しい距離離れた位置における第一出射光Ｌ１の照度より高い。
【００８３】
こうすることで、第二出射光Ｌ２は、避難誘導照明装置１００ａが設置される場所の近傍の地面Ｇ又は建屋に照射される。避難者２００は、第二出射光Ｌ２に気づき易くなるため、避難誘導照明装置１００ａにも気づき易い。具体的には、地面Ｇにおける、第二出射光Ｌ２が照射された部分のみが第二出射光Ｌ２が照射された部分の周辺に比べて明るくなる。そのため、避難者２００は、地面Ｇにおける、第二出射光Ｌ２が照射された部分に気づき易くなる。つまり、避難者２００は、避難誘導照明装置１００ａに気づき易い。
【００８４】
また、光学部１０３ａは、第二出射光Ｌ２を集光してもよい。つまり、光学部１０３ａは、光源１４０ｂから発せられた光をスポット光にしてもよい。
【００８５】
これにより、避難誘導照明装置１００ａは、所望の位置を第二出射光Ｌ２で照射し易くなる。また、光源１４０ｂから発せられる光を所望の範囲に集光するため、光源１４０ｂから発せられる光の強度が同じであり、且つ、当該光を集光しない場合と比較して第二出射光Ｌ２の照度をあげることができる。そのため、避難者２００が第二出射光Ｌ２に気づき易くするために光源１４０ｂから発せられる光は、効率よく利用され得る。
【００８６】
（実施の形態３）
［避難誘導照明装置の構成］
上述したように、実施の形態１及び２に係る光学部は、第二発光部から出射される第二出射光Ｌ２を避難誘導照明装置の鉛直下方に向けて照射するように制御した。ここで、第二出射光Ｌ２は、避難誘導照明装置の鉛直下方に照射されることには限定されない。実施の形態３に係る避難誘導照明装置においては、避難誘導照明装置の鉛直下方に対して所定の角度で第二出射光を出射する。
【００８７】
図７は、実施の形態３に係る避難誘導照明装置の断面図である。なお、図７に示すに断面は、図３のＩＶ−ＩＶ線に対応する断面である。
【００８８】
図７に示すように、避難誘導照明装置１００ｂは、第一発光部１０４と、第二発光部１０５ｂと、通信部１０６と、制御部１０７とを備える。また、第一発光部１０４は、光源１４０ａと、透光部１０２とから構成される。また、第二発光部１０５ｂは、光源１４０ｂと、光学部１０３ｂ、表示部１５０とから構成される。
【００８９】
光学部１０３ｂは、第二発光部１０５ｂの周囲を覆い、且つ、下方側を開口するように形成される。また、光学部１０３ｂの内面（光源１４０ｂが設置される側の面）は、光反射率の高い材料で形成される。こうすることで、避難誘導照明装置１００ｂは、第二出射光Ｌ２を集光して下方側（Ｚ軸の負方向側）に導くことができる。
【００９０】
表示部１５０は、避難誘導情報が表示された表示面１６０を有する光源１４０ｂから発せられた光を透過する透光部材である。
【００９１】
表示部１５０の材料は、特に限定されないが、例えば、ガラス材料またはアクリルもしくはポリカーボネート等の透明樹脂材料によって形成される。また、表示面１６０には、避難誘導マーク、避難場所、避難場所の方向を示す矢印マーク若しくは文字又は避難場所までの距離などの避難誘導情報が表示されている。表示面１６０は、例えば、表示面１６０の一部を光源１４０ｂから発せられる光を透過させないようにマスキングされている。
【００９２】
ここで、表示部１５０は、第二出射光Ｌ２が照射される照射面ＬＡ（図９参照）に文字又は矢印等の避難誘導情報を表示するために機能する。つまり、光源１４０ｂから発せられる光は、表示部１５０を通過する際に、当該光の一部が上述した表示面１６０に施されたマスキングにより透過されない。こうすることで、表示部１５０を通過した光である第二出射光Ｌ２が照射される照射面ＬＡには、表示面１６０に施されたマスキングに対応した避難誘導情報が表示される。
【００９３】
なお、表示部１５０は、図７においては、光学部１０３ｂに接するように配置されているが、第二出射光Ｌ２の地面Ｇにおける照射面ＬＡに避難誘導情報が表示できればよく、表示部１５０の配置は限定されない。筐体１０９が、光学部１０３ｂ及び第二発光部１０５を内部に支持し、且つ、第二表示部１０２ａを直接支持してもよい。
【００９４】
また、第二発光部１０５ｂは、避難誘導照明装置１００ｂの鉛直下方向に対して所定の角度で第二出射光Ｌ２を出射する。避難誘導照明装置１００ｂは、上述したように、例えば、既設の電柱等に設置される。つまり、避難誘導照明装置１００ｂは、道路の歩道側（道路の端側）に設置されることが想定される。この場合、第二出射光Ｌ２は、道路の路幅方向に対して中央付近に照射されるとよい。また、例えば、十字路等の交差点近傍に避難誘導照明装置１００ｂが設置される場合、交差点中央付近に第二出射光Ｌ２が照射されるとよい。
【００９５】
第二発光部１０５ｂは、例えば、光源１４０ｂの設置される向き又は光学部１０３ｂの設置される向きもしくは形状を適宜調整することで、避難誘導照明装置１００ｂの鉛直下方に対して所定の角度で第二出射光Ｌ２を出射する。また、例えば、図７に示すように、避難誘導照明装置１００ｂは、可動自在な可動部１０８を備えてもよい。避難誘導照明装置１００ｂが設置される場所に合わせて、第二出射光Ｌ２が所望の角度に出射されるように、可動部１０８が適宜調整されてもよい。
【００９６】
次に、避難誘導照明装置１００ｂが出射する第一出射光Ｌ１及び第二出射光Ｌ２の具体的な照射範囲について説明する。
【００９７】
図８は、実施の形態３に係る避難誘導照明装置から出射される光の照射範囲の一具体例を示す模式図である。図９は、実施の形態３に係る避難誘導照明装置から出射される第二出射光の照射面の一具体例を示す模式図である。
【００９８】
図８に示すように、避難誘導照明装置１００ｂは、柱状部材１１０によって地面Ｇの上方に設置される。また、避難誘導照明装置１００ｂは、光出射面１０１の法線方向に第一出射光Ｌ１を照射する。ここで、本明細書においては、光出射面１０１の法線方向と、第一出射光Ｌ１の光軸Ａ１は略一致するものとする。また、避難誘導照明装置１００ｂは、地面Ｇの方向に第二出射光Ｌ２を照射する。具体的には、第一出射光Ｌ１の光軸Ａ１は略水平方向であり、第二出射光Ｌ２の光軸Ａ２は地面Ｇの方向に向くように設置される。
【００９９】
また、避難誘導照明装置１００ｂは、図９に示すように、交差点Ｃの中央近傍の路面に第二出射光Ｌ２を照射してもよい。
【０１００】
例えば、避難誘導照明装置１００ｂが、地面Ｇから４．５ｍに設置され、道路の幅が２．５ｍだと仮定した場合、第二出射光Ｌ２の光軸Ａ２は鉛直方向に対して約６０度傾ければ交差点Ｃに第二出射光Ｌ２を照射できる。言い換えると、図８に示すように、第二出射光Ｌ２の光軸Ａ２と、避難誘導照明装置１００ｂの鉛直下方（図８の二点鎖線で記載の矢印）とのなす角度θは、０度以上６０度以下でもよい。こうすることで、避難誘導照明装置１００ｂは交差点Ｃの中央近傍の路面に第二出射光Ｌ２を照射できる。
【０１０１】
また、避難誘導照明装置１００ｂが設置される場所の近傍に交差点Ｃがない場合には、第二出射光Ｌ２は道路の路幅方向に対する中央近傍の路面に照射されてもよい。
【０１０２】
図９に示すように、例えば、避難者２００が西側（図のＷ方向）から東側（図のＥ方向）へ避難してきたとする。また、例えば、避難者２００ａが南側（図のＳ方向）から北側（図のＮ方向）へ避難してきたとする。このように、異なる方向から避難者２００及び２００ａが避難してきた場合においても、第二出射光Ｌ２を交差点Ｃの中央近傍の路面に照射することで、避難者２００及び２００ａは照射面ＬＡに気づき易くなる。
【０１０３】
［効果等］
以上、実施の形態３に係る避難誘導照明装置１００ｂの第二発光部１０５ｂが発する第二出射光Ｌ２の光軸Ａ２と避難誘導照明装置１００ｂの鉛直下方とのなす角度θは、０度以上６０度以下でもよい。例えば、避難誘導照明装置１００ｂは、道路の歩道側（道路の端側）に設置されることが想定される。この場合、角度θを適宜調整することでは、第二出射光Ｌ２が照射される場所が変更されてもよい。
【０１０４】
こうすることで、避難者２００は、避難者２００が通過する道路の場所によらず第二出射光Ｌ２に気づき易くなる。そのため、避難者２００は、避難誘導照明装置１００ｂに気づき易い。
【０１０５】
また、第二出射光Ｌ２は、道路中央又は交差点Ｃ中央の路面に照射されてもよい。つまり、十字路等の交差点Ｃ近傍に避難誘導照明装置１００ｂが設置される場合、避難誘導照明装置１００ｂは、交差点Ｃ中央付近に第二出射光Ｌ２を照射してもよい。また、道路の路幅方向における端側に避難誘導照明装置１００ｂが設置される場合、避難誘導照明装置１００ｂは、道路の路幅方向における中央付近に第二出射光Ｌ２を照射してもよい。
【０１０６】
これにより、どの方向から避難者２００が来ても第二出射光Ｌ２に気づき易い。そのため、避難者２００は、避難誘導照明装置１００ｂに気づき易い。
【０１０７】
また、避難誘導照明装置１００ｂは、さらに、避難誘導情報が表示された表示部１５０を備えてもよい。また、表示部１５０は、第二出射光Ｌ２の少なくとも一部を透過する透光部材で形成される。つまり、光源１４０ｂから発せられる光が表示部１５０を通過する際に、当該光の一部は表示面１６０に施されたマスキングにより透過されない。
【０１０８】
こうすることで、表示部１５０を通過した光である第二出射光Ｌ２が照射される照射面ＬＡには、表示面１６０に施されたマスキングに対応した避難誘導情報が表示される。そのため、避難者２００は、避難誘導照明装置１００ｂに表示された避難誘導情報を確認しなくても、照射面ＬＡを確認することのみで、避難誘導情報を取得できる。
【０１０９】
（他の実施の形態）
以上、実施の形態に係る避難誘導照明装置について説明したが、本開示は、上記実施の形態に限定されるものではない。
【０１１０】
本実施の形態において、透光部１０２の光出射面１０１には、避難誘導マーク、避難場所、避難場所の方向を示す矢印マーク若しくは文字又は避難場所までの距離などの避難誘導情報が表示される。また、当該避難誘導情報は、例えば、光出射面１０１の一部を光源１４０ａから発せられる光を透過させないようにマスキングすることで、光出射面１０１に表示されるとしたがこれに限らない。第一発光部１０４は、例えば光源と液晶とから構成されるディスプレイ等でもよい。つまり、当該液晶を制御することで、避難誘導情報は表示されてもよい。こうすることで、避難誘導照明装置１００は、災害の内容に応じて表示する内容を変更することができる。
【０１１１】
また、第一発光部１０４は、複数のＬＥＤと点灯制御回路とを備え、制御部１０７からの指示を受けて特定のパターン（例えば、文字等を表示するパターン）で発光してもよい。ここで、特定のパターンは、受信される津波情報に基づく津波に関する内容を示す文字列であってもよいし、各津波避難所に予め定めた識別番号等を示すこととしてもよい。こうすることで、避難誘導照明装置１００は、災害の内容に応じて表示する内容を変更することができる。
【０１１２】
また、実施の形態３において、表示部１５０は避難誘導情報が表示された表示面１６０を有したがこれに限らない。例えば、光学部がレンズ等の透光部材である場合、光源から出射された光が通過する面に避難誘導情報が表示されてもよい。
【０１１３】
また、実施の形態３においては、第二発光部１０５ｂの向きを制御することで、第二出射光Ｌ２の出射方向を設定したが、これに限らない。第二発光部１０５ｂの向きのみ制御することで第二出射光Ｌ２の出射方向を制御してもよいし、ミラー等を用いて第二出射光Ｌ２の出射方向を制御してもよい。
【０１１４】
また、本開示の避難誘導照明装置の形状、構造、及び、大きさは、特に限定されるものではなく、本開示の避難誘導照明装置は、上記実施の形態で説明された条件を満たせばよい。
【０１１５】
その他、各実施の形態に対して当業者が思いつく各種変形を施して得られる形態、または、本開示の趣旨を逸脱しない範囲で各実施の形態における構成要素及び機能を任意に組み合わせることで実現される形態も本開示に含まれる。
【符号の説明】
【０１１６】
１００、１００ａ、１００ｂ  避難誘導照明装置
１０１  光出射面
１０２  透光部
１０３、１０３ａ、１０３ｂ  光学部
１０４  第一発光部
１０５、１０５ａ、１０５ｂ  第二発光部
１０６  通信部
１０７  制御部
１０９  筐体
１１０  柱状部材
１２０  光センサ
１４０ａ、１４０ｂ  光源
１５０  表示部
１６０  表示面
Ｌ１  第一出射光
Ｌ２  第二出射光
Ａ１、Ａ２  光軸
Ｇ  地面
Ｃ  交差点
θ  角度
【図１】
2018041566.tif 000003
【図２】
2018041566.tif 000004
【図３】
2018041566.tif 000005
【図４】
2018041566.tif 000006
【図５】
2018041566.tif 000007
【図６】
2018041566.tif 000008
【図７】
2018041566.tif 000009
【図８】
2018041566.tif 000010
【図９】
2018041566.tif 000011